(57)【特許請求の範囲】
【請求項１】
カメラモジュールおよび前記カメラモジュールが出力する画像を表示する表示部を有し、連続して撮影する連写機能および前記連写機能によって撮影された所定枚数の撮影画像のうち状態が良い撮影画像を選別する選別機能を有するカメラ機能を実行する、携帯端末であって、
少なくとも１つのフォルダが設定されている記憶部、
前記カメラモジュールの出力に基づいて、前記表示部にスルー画像を表示させる表示処理部、
前記表示処理部によってスルー画像が表示されているとき、フォルダに対応するアイコンを選択可能に表示するアイコン表示処理部、
前記連写機能が有効にされているとき、選択されたアイコンに対応するフォルダを、前記選別機能によって選別された状態が良い撮影画像を保存するための保存フォルダとして設定する設定部、および
撮影操作がされたとき、前記設定部によって設定された保存フォルダに撮影画像を保存する保存部を備える、携帯端末。
【請求項２】
前記アイコン表示処理部は、新規フォルダに対応する新規アイコンを表示し、
前記新規アイコンに対する操作がされたとき、前記記憶部に新規フォルダを作成する作成部をさらに備え、
前記設定部は、前記作成部によって新規フォルダが作成されたとき、その新規フォルダを前記保存フォルダとして設定する、請求項１記載の携帯端末。
【請求項３】
前記表示処理部によってスルー画像が表示されているとき、設定されている保存フォルダを変更するための変更アイコンを表示する変更アイコン表示処理部をさらに備え、
前記アイコン表示処理部は、前記変更アイコンに対する操作がされたとき、アイコンを選択可能に表示する、請求項１または２記載の携帯端末。
【請求項４】
前記変更アイコンは、保存フォルダに対応する保存アイコンを含む、請求項３記載の携帯端末。
【請求項５】
前記設定部は、複数のアイコンが同時に選択されたとき、選択された複数のアイコンに対応する複数のフォルダを、保存フォルダとして設定し、
前記保存部は、撮影操作がされたとき、設定された複数の保存フォルダのそれぞれに、同じ撮影画像を保存する、請求項１ないし４のいずれかに記載の携帯端末。
【請求項６】
前記アイコン表示処理部によって表示されたアイコンを、所定の順番に並び替える並び替え部をさらに備える、請求項１ないし５のいずれかに記載の携帯端末。
【請求項７】
前記カメラ機能を実行する操作がされたとき、設定されている保存フォルダの変更操作を受け付けるポップアップを表示するポップアップ表示処理部をさらに備え、
前記アイコン表示処理部は、前記変更操作がされたとき、アイコンを表示する、請求項１ないし６のいずれかに記載の携帯端末。
【請求項８】
少なくとも１つのフォルダが設定されている記憶部、カメラモジュールおよび前記カメラモジュールが出力する画像を表示する表示部を有し、連続して撮影する連写機能および前記連写機能によって撮影された所定枚数の撮影画像のうち状態が良い撮影画像を選別する選別機能を有するカメラ機能を実行する、携帯端末のプロセッサを、
前記カメラモジュールの出力に基づいて、前記表示部にスルー画像を表示させる表示処理部、
前記表示処理部によってスルー画像が表示されているとき、フォルダに対応するアイコンを選択可能に表示するアイコン表示処理部、
前記連写機能が有効にされているとき、選択されたアイコンに対応するフォルダを、前記選別機能によって選別された状態が良い撮影画像を保存するための保存フォルダとして設定する設定部、および
撮影操作がされたとき、前記設定部によって設定された保存フォルダに撮影画像を保存する保存部として機能させる、フォルダ管理プログラム。
【請求項９】
少なくとも１つのフォルダが設定されている記憶部、カメラモジュールおよび前記カメラモジュールが出力する画像を表示する表示部を有し、連続して撮影する連写機能および前記連写機能によって撮影された所定枚数の撮影画像のうち状態が良い撮影画像を選別する選別機能を有するカメラ機能を実行する、携帯端末におけるフォルダ管理方法であって、前記携帯端末のプロセッサが、
前記カメラモジュールの出力に基づいて、前記表示部にスルー画像を表示させる表示処理ステップ、
前記表示処理ステップによってスルー画像が表示されているとき、フォルダに対応するアイコンを選択可能に表示するアイコン表示処理ステップ、
前記連写機能が有効にされているとき、選択されたアイコンに対応するフォルダを、前記選別機能によって選別された状態が良い撮影画像を保存するための保存フォルダとして設定する設定ステップ、および
撮影操作がされたとき、前記設定ステップによって設定された保存フォルダに撮影画像を保存する保存ステップを実行する、フォルダ管理方法。
【請求項１０】
カメラモジュール、前記カメラモジュールが出力する画像を表示する表示部、前記表示部の上に設けられるタッチパネルおよび前記タッチパネルのタッチ範囲内のタッチ操作を検出する検出部を有し、連続して撮影する連写機能および前記連写機能によって撮影された所定枚数の撮影画像のうち状態が良い撮影画像を選別する選別機能を有するカメラ機能を実行する、携帯端末であって、
少なくとも１つのフォルダが設定されている記憶部、
前記カメラモジュールの出力に基づいて、前記表示部にスルー画像を表示させる表示処理部、
前記表示処理部によってスルー画像が表示されているとき、フォルダに対応する特定領域を前記タッチ範囲の中に設定する領域設定部、
前記連写機能が有効にされ、かつ前記特定領域にタッチ操作がされたとき、その特定領域に対応するフォルダを、前記選別機能によって選別された状態が良い撮影画像を保存するための保存フォルダとして設定する設定部、および
撮影操作がされたとき、前記設定部によって設定された保存フォルダに撮影画像を保存する保存部を備える、携帯端末。
【発明の詳細な説明】
【技術分野】
【０００１】
この発明は、携帯端末、フォルダ管理プログラムおよびフォルダ管理方法に関し、特に画像を撮影することができる、携帯端末、フォルダ管理プログラムおよびフォルダ管理方法に関する。
【背景技術】
【０００２】
画像を撮影することができる、携帯端末の一例が特許文献１に開示されている。特許文献１のデジタルカメラは、所定の日時変化が生じた場合には新規フォルダを作成して、この新規フォルダに撮影画像ファイルを記録する。
【特許文献１】特許第４４８０１６５号公報［H04N 5/91, H04N 5/225］
【発明の概要】
【発明が解決しようとする課題】
【０００３】
ところが、特許文献１のデジタルカメラでは、同じ日に何度も撮影を行った場合、同一のフォルダに大量の撮影画像ファイルが記録されてしまう。そのため、同一のフォルダに記録されている大量の撮影画像ファイルを、内容に合わせて分類するのは、面倒である。また、撮影画像が保存されるフォルダを変更する場合、使用者は、煩雑な操作を行わなければならない。
【０００４】
それゆえに、この発明の主たる目的は、新規な、携帯端末、フォルダ管理プログラムおよびフォルダ管理方法を提供することである。
【０００５】
この発明の他の目的は、撮影するときの操作性を向上させることができる、携帯端末、フォルダ管理プログラムおよびフォルダ管理方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、カメラモジュールおよびカメラモジュールが出力する画像を表示する表示部を有し、連続して撮影する連写機能および連写機能によって撮影された所定枚数の撮影画像のうち状態が良い撮影画像を選別する選別機能を有するカメラ機能を実行する、携帯端末であって、少なくとも１つのフォルダが設定されている記憶部、カメラモジュールの出力に基づいて、表示部にスルー画像を表示させる表示処理部、表示処理部によってスルー画像が表示されているとき、フォルダに対応するアイコンを選択可能に表示するアイコン表示処理部、連写機能が有効にされているとき、選択されたアイコンに対応するフォルダを、選別機能によって選別された状態が良い撮影画像を保存するための保存フォルダとして設定する設定部、および撮影操作がされたとき、設定部によって設定された保存フォルダに撮影画像を保存する保存部を備える、携帯端末である。
【０００８】
第１の発明では、携帯端末（１０：実施例において対応する部分を例示する参照符号。以下、同じ。）は、カメラ制御回路（４０）、イメージセンサ（４２）およびフォーカスレンズ（４４）を含むカメラモジュールを有し、使用者の操作に応じて撮影を行うカメラ機能を実行できる。また、カメラ機能は、所定枚数（たとえば、９枚）を連続して撮影する連写機能と、所定枚数の撮影画像のうち状態が良い撮影画像を選別する選別機能とを有している。カメラ機能が実行されると、表示部（３０）には、カメラモジュールが出力する画像が表示される。記憶部は、フラッシュメモリ（３２）およびメモリカード（４８）を含み、少なくとも１つのフォルダが設定されている。表示処理部（２４，Ｓ１）は、カメラモジュールの出力に基づいて表示部にスルー画像を表示させる。アイコン表示処理部（２４，Ｓ７）は、たとえば、記憶部のフォルダに対応するアイコン（Ｆ１−Ｆ６）を、スルー画像に重ねて表示する。設定部（２４，Ｓ３５，Ｓ４３−Ｓ４９）は、たとえば連写機能が有効にされている状態でタッチ操作などによってアイコンが選択されると、そのアイコンに対応するフォルダを、選別機能によって選別された状態が良い撮影画像を保存するための保存フォルダとして設定する。保存部（２４，Ｓ６９）は、撮影操作が行われると、設定された保存フォルダに撮影画像を保存する。
【０００９】
第１の発明によれば、使用者は、スルー画像を確認しながら、任意のフォルダに対して撮影画像が保存されるように設定できる。そのため、撮影するときの操作性が向上する。
また、連写後に必要な画像を別のフォルダに移す操作を行わずに済むようになる。
【００１０】
第２の発明は、第１の発明に従属し、アイコン表示処理部は、新規フォルダに対応する新規アイコンを表示し、新規アイコンに対する操作がされたとき、記憶部に新規フォルダを作成する作成部をさらに備え、設定部は、作成部によって新規フォルダが作成されたとき、その新規フォルダを保存フォルダとして設定する。
【００１１】
第２の発明では、アイコン表示処理部は、一覧表示されたアイコンの隣に、新規フォルダに対応する新規アイコン（Ｆｎ）を表示する。作成部（２４，Ｓ３３）は、新規アイコンが操作されると、記憶部に新規フォルダを作成する。そして、新規フォルダが作成されると、設定部は、その新規フォルダを保存フォルダとして設定する。
【００１２】
第２の発明によれば、必要なフォルダが記憶部に設定されていなくても、使用者は新規フォルダを作成し、その新規フォルダに撮影画像を保存することができる。
【００１３】
第３の発明は、第１の発明または第２の発明に従属し、表示処理部によってスルー画像が表示されているとき、設定されている保存フォルダを変更するための変更アイコンを表示する変更アイコン表示処理部をさらに備え、アイコン表示処理部は、変更アイコンに対する操作がされたとき、アイコンを選択可能に表示する。
【００１４】
第３の発明では、変更アイコン表示処理部（２４，Ｓ１１）は、保存フォルダを変更するための変更アイコン（Ｆ）を、スルー画像に重ねて表示する。そして、変更アイコンが操作されると、アイコン表示処理部は、アイコンを表示する。
【００１５】
第３の発明によれば、変更アイコンが操作されてから、アイコンが表示されるため、スルー画像の視認性が向上する。
【００１６】
第４の発明は、第３の発明に従属し、変更アイコンは、保存フォルダに対応する保存アイコンを含む。
【００１７】
第４の発明では、スルー画像と合わせて、現在設定されている保存フォルダを示す保存アイコン（Ｆ）が表示される。
【００１８】
第４の発明によれば、スルー画像と共に保存アイコンが表示されるため、撮影操作を行う際の使用者の利便性が向上する。
【００１９】
第５の発明は、第１の発明ないし第４の発明のいずれかに従属し、設定部は、複数のアイコンが同時に選択されたとき、選択された複数のアイコンに対応する複数のフォルダを、保存フォルダとして設定し、保存部は、撮影操作がされたとき、設定された複数の保存フォルダのそれぞれに、同じ撮影画像を保存する。
【００２０】
第５の発明では、たとえば、２つのアイコンが同時に選択されると、その２つのアイコンに対応するフォルダが、保存フォルダとして設定される。そして、撮影操作がされると、２つのフォルダのそれぞれに対して同じ撮影画像が保存される。
【００２１】
第５の発明によれば、撮影前に複数の保存フォルダを設定できるため、撮影後に撮影画像をコピーするような煩雑な操作を省略することができる。
【００２５】
第６の発明は、第１の発明ないし第５の発明のいずれかに従属し、アイコン表示処理部によって表示されたアイコンを、所定の順番に並び替える並び替え部をさらに備える。
【００２６】
第６の発明では、並び替え部（２４，Ｓ１９）は、並び替え操作がされると、アイコンの並びが、保存枚数の順番となるように並び替える。
【００２７】
第６の発明によれば、アイコンの並び順を変更することができるため、使用者は必要なアイコンを探しやすくなる。
【００２８】
第７の発明は、第１の発明ないし第６の発明のいずれかに従属し、カメラ機能を実行する操作がされたとき、設定されている保存フォルダの変更操作を受け付けるポップアップを表示するポップアップ表示処理部をさらに備え、アイコン表示処理部は、変更操作がされたとき、アイコンを表示する。
【００２９】
第７の発明では、ポップアップ表示処理部（２４，Ｓ３）は、たとえば、保存フォルダを変更するための変更キー（６４）を含むポップアップ（Ｐ）を表示する。
【００３０】
第７の発明によれば、使用者は、カメラ機能を実行したときに、保存フォルダの設定を変更することができる。
【００３１】
第８の発明は、少なくとも１つのフォルダが設定されている記憶部（３２）、カメラモジュールおよびカメラモジュールが出力する画像を表示する表示部（３０）を有し、連続して撮影する連写機能および連写機能によって撮影された所定枚数の撮影画像のうち状態が良い撮影画像を選別する選別機能を有するカメラ機能を実行する、携帯端末（１０）のプロセッサ（２４）を、カメラモジュール（４０−４４）の出力に基づいて、表示部にスルー画像を表示させる表示処理部（Ｓ１）、表示処理部によってスルー画像が表示されているとき、フォルダに対応するアイコン（Ｆ１−Ｆ６）を選択可能に表示するアイコン表示処理部（Ｓ７）、連写機能が有効にされているとき、選択されたアイコンに対応するフォルダを、選別機能によって選別された状態が良い撮影画像を保存するための保存フォルダとして設定する設定部（Ｓ３５，Ｓ４３−Ｓ４９）、および撮影操作がされたとき、設定部によって設定された保存フォルダに撮影画像を保存する保存部（Ｓ６７）として機能させる、フォルダ管理プログラムである。
【００３３】
第９の発明は、少なくとも１つのフォルダが設定されている記憶（３２）部、カメラモジュール（４０−４４）およびカメラモジュールが出力する画像を表示する表示部（３０）を有し、連続して撮影する連写機能および連写機能によって撮影された所定枚数の撮影画像のうち状態が良い撮影画像を選別する選別機能を有するカメラ機能を実行する、携帯端末（１０）におけるフォルダ管理方法であって、携帯端末のプロセッサが、カメラモジュールの出力に基づいて、表示部にスルー画像を表示させる表示処理ステップ（Ｓ１）、表示処理ステップによってスルー画像が表示されているとき、フォルダに対応するアイコン（Ｆ１−Ｆ６）を選択可能に表示するアイコン表示処理ステップ（Ｓ７）、連写機能が有効にされているとき、選択されたアイコンに対応するフォルダを、選別機能によって選別された状態が良い撮影画像を保存するための保存フォルダとして設定する設定ステップ（Ｓ３５，Ｓ４３−Ｓ４９）、および撮影操作がされたとき、設定ステップによって設定された保存フォルダに撮影画像を保存する保存ステップ（Ｓ６７）を実行する、フォルダ管理方法である。
【００３５】
第１０の発明は、カメラモジュール、カメラモジュールが出力する画像を表示する表示部、表示部の上に設けられるタッチパネルおよびタッチパネルのタッチ範囲内のタッチ操作を検出する検出部を有し、連続して撮影する連写機能および連写機能によって撮影された所定枚数の撮影画像のうち状態が良い撮影画像を選別する選別機能を有するカメラ機能を実行する、携帯端末であって、少なくとも１つのフォルダが設定されている記憶部、カメラモジュールの出力に基づいて、表示部にスルー画像を表示させる表示処理部、表示処理部によってスルー画像が表示されているとき、フォルダに対応する特定領域をタッチ範囲の中に設定する領域設定部、連写機能が有効にされ、かつ特定領域にタッチ操作がされたとき、その特定領域に対応するフォルダを、選別機能によって選別された状態が良い撮影画像を保存するための保存フォルダとして設定する設定部、および撮影操作がされたとき、設定部によって設定された保存フォルダに撮影画像を保存する保存部を備える、携帯端末である。
【００３６】
第１０の発明では、携帯端末（１０）は、カメラモジュール（４０−４４）および表示部（３０）を有し、カメラモジュールの出力に基づく画像が表示部に表示される。また、携帯端末は、所定枚数（たとえば、９枚）を連続して撮影する連写機能と、所定枚数の撮影画像のうち状態が良い撮影画像を選別する選別機能とを有するカメラ機能を実行できる。表示部にはタッチパネル（３８）が設けられており、タッチパネルに対するタッチ操作が検出部によって検出される。記憶部（３２，４８）には少なくとも１つのフォルダが設定され、表示処理部（２４，Ｓ１）はカメラモジュールの出力に基づいて、表示部にスルー画像を表示させる。領域設定部（２４，Ｓ７）は、スルー画像が表示されているときに、フォルダに対応する特定領域を、タッチ範囲の角などに設定する。設定部（２４，Ｓ３５，Ｓ４３−Ｓ４９）は、たとえば連写機能が有効にされ、かつタッチ領域の角に設けられた特定領域にタッチ操作がされると、その特定領域に対応するフォルダを、選別機能によって選別された状態が良い撮影画像を保存するための保存フォルダとして設定する。そして、保存部（２４，Ｓ６９）は、撮影操作がされたとき、設定された保存フォルダに撮影画像を保存する。
【００３７】
第８発明、第９の発明および第１０の発明でも、第１の発明と同様の効果を得ることが出来る。
【発明の効果】
【００３８】
この発明によれば、撮影するときの操作性を向上させることができる。
【００３９】
この発明の上述の目的、その他の目的、特徴および利点は、図面を参照して行う以下の実施例の詳細な説明から一層明らかとなろう。
【図面の簡単な説明】
【００４０】
【図１】図１はこの発明の一実施例の携帯電話機の電気的な構成を示す図解図である。
【図２】図２は図１に示す携帯電話機の外観の一例を示す外観図である。
【図３】図３は図１に示すＲＡＭに記憶されているフォルダテーブルの構成の一例を示す図解図である。
【図４】図４は図１に示すディスプレイに表示されるスルー画像およびポップアップの一例を示す図解図である。
【図５】図５は図１に示すディスプレイに表示されるスルー画像の一例を示す図解図である。
【図６】図６は図１に示すディスプレイに対してフォルダアイコンの一覧を表示する操作の手順の一例を示す図解図である。
【図７】図７は図１に示すディスプレイに表示されるフォルダアイコンの一覧を変更する操作の手順の一例を示す図解図である。
【図８】図８は図１に示すディスプレイに表示されるフォルダアイコンの一覧を用いて保存フォルダを設定する操作の手順の一例を示す図解図である。
【図９】図９は図１に示すディスプレイに表示されるフォルダアイコンの一覧を用いて保存フォルダを設定する他の操作の手順の一例を示す図解図である。
【図１０】図１０は図１に示すディスプレイに表示されるフォルダアイコンの一覧を用いて保存フォルダを設定するその他の操作の手順の一例を示す図解図である。
【図１１】図１１は図１に示すディスプレイに表示されるフォルダアイコンの一覧を用いて２つの連写フォルダを設定する操作の手順の一例を示す図解図である。
【図１２】図１２は図１に示すディスプレイに表示されたフォルダアイコンの並びが変更された状態の一例を示す図解図である。
【図１３】図１３は図１に示すＲＡＭのメモリマップの一例を示す図解図である。
【図１４】図１４は図１に示すプロセッサのフォルダ管理処理の一部の一例を示すフロー図である。
【図１５】図１５は図１に示すプロセッサのフォルダ管理処理の他の一部の一例であって、図１４に後続するフロー図である。
【図１６】図１６は図１に示すプロセッサの撮影処理の一例を示すフロー図である。
【図１７】図１７は図１に示すディスプレイに表示されるスルー画像の他の一例を示す図解図である。
【図１８】図１８は図１に示すディスプレイに対してフォルダアイコンの一覧を表示する操作の手順の他の一例を示す図解図である。
【発明を実施するための形態】
【００４１】
＜第１実施例＞
図１を参照して、携帯電話機１０は、携帯端末の一種であり、コンピュータまたはＣＰＵと呼ばれるプロセッサ２４を含む。また、プロセッサ２４は、無線通信回路１４、Ａ／Ｄ変換器１６、Ｄ／Ａ変換器２０、キー入力装置２６、表示ドライバ２８、フラッシュメモリ３２、ＲＡＭ３４、タッチパネル制御回路３６、カメラ制御回路４０およびインターフェース（以下、Ｉ／Ｆと言う。）４６などが接続される。
【００４２】
また、無線通信回路１４にはアンテナ１２が接続される。Ａ／Ｄ変換器１６にはマイク１８が接続され、Ｄ／Ａ変換器２０にはスピーカ２２が接続される。表示ドライバ２８にはディスプレイ３０が接続される。タッチパネル制御回路３６には、タッチパネル３８が接続される。カメラ制御回路４０には、イメージセンサ４２およびフォーカスレンズ４４のレンズ位置を調節するモータが接続される。そして、Ｉ／Ｆ４６には、メモリカード４８が着脱可能に接続される。
【００４３】
プロセッサ２４は、携帯電話機１０の全体制御を司る。ＲＡＭ３４は、プロセッサ２４の作業領域（描画領域を含む）ないしバッファ領域として用いられる。フラッシュメモリ３２は、記憶部として機能し、携帯電話機１０の文字、画像、音声、音および映像のようなコンテンツのデータが記録される。
【００４４】
Ａ／Ｄ変換器１６は、マイク１８を通して入力される音声ないし音についてのアナログ音声信号を、デジタル音声信号に変換する。Ｄ／Ａ変換器２０は、デジタル音声信号をアナログ音声信号に変換（復号）して、図示しないアンプを介してスピーカ２２に与える。したがって、アナログ音声信号に対応する音声ないし音がスピーカ２２から出力される。
【００４５】
なお、プロセッサ２４は、Ｄ／Ａ変換器２０と接続されるアンプの増幅率を制御することでスピーカ２２から出力される音声の音量を調整する。
【００４６】
キー入力装置２６は操作部として機能し、通話キー２６ａ、終話キー２６ｂおよび機能キー２６ｃなどを備える。また、使用者が操作したキーの情報（キーデータ）はプロセッサ２４に入力される。
【００４７】
表示ドライバ２８は、プロセッサ２４の指示の下、当該表示ドライバ２８に接続されたディスプレイ３０の表示を制御する。また、表示ドライバ２８は表示する画像データを一時的に記憶するビデオメモリ（図示せず）を含む。ディスプレイ３０には、ＬＥＤを光源とするバックライトがエッジライト方式に基づいて設けられており、そのバックライトによってディスプレイ３０の表示パネルが照明される。なお、バックライトの光源は冷陰極管などであってもよい。
【００４８】
タッチパネル３８は、指などの物体が表面に接近して生じた電極間の静電容量の変化を検出する静電容量方式で、たとえば１本または複数本の指がタッチパネル３８に触れたことを検出する。また、タッチパネル３８は、ディスプレイ３０の上に設けられ、その画面内で、任意の位置を指示するためのポインティングデバイスである。タッチパネル制御回路３６は検出部として機能し、タッチパネル３８のタッチ有効範囲内で、押したり、撫でたり、触られたりするタッチ操作を検出して、そのタッチ操作の位置を示す座標データをプロセッサ２４に出力する。つまり、使用者は、タッチパネル３８の表面を指で、押したり、撫でたり、触れたりすることによって、操作位置や、操作方向などを携帯電話機１０に入力する。
【００４９】
ここで、使用者がタッチパネル３８の上面を指で触れる操作を「タッチ」と言う。一方、タッチパネル３８から指を離す操作を「リリース」と言う。そして、使用者がタッチパネル３８の上面をタッチして、続けてリリースする操作を「タッチアンドリリース」と言う。
【００５０】
また、タッチパネル３８の表面を撫でる操作を「スライド」と言う。さらに、２回連続してタッチアンドリリースを行う操作を「ダブルタッチ」と言い、２か所にほぼ同時にタッチする操作を「マルチタッチ」と言う。そして、「タッチ操作」には、上記したタッチ、リリース、タッチアンドリリース、スライド、ダブルタッチおよびマルチタッチなどが含まれる。
【００５１】
また、タッチによって示された座標を「タッチ点」（タッチ開始位置）と言い、リリースによって示された座標を「リリース点」（タッチ終了位置）と言う。
【００５２】
なお、タッチ操作は指だけに限らず、導電体が先端に取り付けられたタッチペンなどによって行われてもよい。また、タッチパネル３８の検出方式には、表面型の静電容量方式が採用されてもよいし、抵抗膜方式、超音波方式、赤外線方式および電磁誘導方式などであってもよい。
【００５３】
カメラ制御回路４０、イメージセンサ４２およびフォーカスレンズ４４は、まとめてカメラモジュールと呼ばれ、携帯電話機１０で静止画像または動画像を撮影するために利用される。たとえば、カメラ機能を実行するキー操作またはタッチ操作が行われると、プロセッサ２４はカメラ機能を実行して、カメラ制御回路４０を起動する。
【００５４】
イメージセンサ４２の撮像エリアには、ＵＸＧＡ（１６００×１２００画素）に対応する受光素子が表示されている。そのため、被写体の光学像がイメージセンサ４２に照射されると、撮像エリアでは光電変換によって被写体の光学像に対応する電荷、つまりＵＸＧＡの生画像信号が生成される。
【００５５】
カメラ機能が実行されると、被写体のリアルタイム動画像つまりスルー画像（プレビュー画像）をディスプレイ３０に表示するべく、プロセッサ２４は、カメラ制御回路４０に内蔵されるイメージセンサドライバを起動させ、露光動作および指定された読み出し領域に対応する電荷読み出し動作を、イメージセンサドライバに命令する。
【００５６】
イメージセンサドライバは、イメージセンサ４２の撮像面の露光と、当該露光によって生成された電荷の読み出しとを実行する。この結果、生画像信号が、イメージセンサ４２から出力される。また、出力された生画像信号はカメラ制御回路４０に入力され、カメラ制御回路４０は入力された生画像信号に対して、色分離、白バランス調整、ＹＵＶ変換などの処理を施し、ＹＵＶ形式の画像データを生成する。そして、ＹＵＶ形式の画像データはプロセッサ２４に入力される。
【００５７】
また、プロセッサ２４に入力されたＹＵＶ形式の画像データは、プロセッサ２４によってＲＡＭ３４に格納（一時記憶）される。このとき、プロセッサ２４は、間引き読み出し命令を表示ドライバ２８に発行する。そして、表示ドライバ２８は、プロセッサ２４から発行された間引き読み出し命令に従って、ＹＵＶ形式の画像データをディスプレイ３０に出力する。これによって、被写界を表す低解像度（たとえば、３２０×２４０画素）のスルー画像がディスプレイ３０に表示される。
【００５８】
ここで、カメラ制御回路４０は生画像信号からフォーカス評価値を算出し、そのフォーカス評価値をプロセッサ２４に出力する。プロセッサ２４は、カメラ制御回路４０から出力されたフォーカス評価値に基づいて、ＡＦ処理を実行する。ＡＦ処理が実行されると、カメラ制御回路４０はプロセッサ２４の指示の下、フォーカスレンズ４４のレンズ位置を調整する。その結果、被写体にピントが合わせられたスルー画像がディスプレイ３０に表示される。
【００５９】
次に、静止画像の撮影操作が行われると、プロセッサ２４は、静止画像の本撮影処理の実行命令を、カメラ制御回路４０に発行する。実行命令が発行されると、カメラ制御回路４０は、イメージセンサ４２から出力されたＵＸＧＡの生画像信号に上述した各処理を行ったうえで、ＹＵＶ形式の画像データをプロセッサ２４に出力する。プロセッサ２４は、ＹＵＶ形式の画像データを、ＪＰＥＧ形式の画像データに変換（圧縮）してＲＡＭ３４に一旦格納する。そして、プロセッサ２４は、ＲＡＭ３４から画像データを読み出し、メタ情報を関連付けて、１つの画像ファイルとしてフラッシュメモリ３２に保存する。このとき、プロセッサ２４は、図示しないスピーカから、本撮影処理が実行されていること通知する音を出力させる。なお、フラッシュメモリ３２には、少なくとも１つ以上のフォルダが設定されており、画像ファイルは、保存フォルダとして設定されているフォルダに保存される。
【００６０】
また、カメラ機能は、連写機能および選別機能を有している。連写機能とは、所定枚数（たとえば、９枚）の画像を連続して撮影する機能である。また、選別機能とは、連写機能によって連続して撮影された撮影画像から、顔の認識率や、フォーカス評価値などに基づいて、状態が良い撮影画像を選別する機能である。
【００６１】
なお、カメラ機能のメタ情報には、時刻情報、画像サイズおよび携帯電話機１０の機種名（型番）などが含まれる。また、画像データに関連付けられるメタ情報はＥｘｉｆ形式で保存される。
【００６２】
Ｉ／Ｆ４６は、メモリカード４８に保存されている画像ファイルや、音楽ファイルなどを読み出すためのインターフェースである。また、メモリカード４８には、フラッシュメモリ３２と同様、フォルダが設けられており、本撮影処理が実行されると、メモリカード４８のフォルダに画像ファイルが保存されることもある。さらに、メモリカード４８には、ＲＡＭ３４に記憶されているアドレス帳データなどがバックアップデータとして、記憶されることもある。
【００６３】
無線通信回路１４は、ＣＤＭＡ方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００６４】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００６５】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号など）をディスプレイ３０に表示する。また、これとほぼ同時に、プロセッサ２４は、図示しないスピーカから着信音（着信メロディ、着信音声と言うこともある。）を出力させる。
【００６６】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００６７】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００６８】
なお、他の実施例では、無線通信回路１４、Ａ／Ｄ変換機１６およびＤ／Ａ変換機２０はプロセッサ２４に含まれていてもよい。また、フォルダが設定されるフラッシュメモリ３２およびメモリカード４８は、まとめて記憶部と呼ばれることもある。
【００６９】
図２（Ａ）は、携帯電話機１０の表面の外観を示す外観図であり、図２（Ｂ）は携帯電話機１０の裏面の外観を示す外観図である。図２（Ａ），（Ｂ）を参照して、携帯電話機１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの縦方向一方の表面に設けられる。同じく、図示しないスピーカ２２は、筐体Ｃに内蔵され、内蔵されたスピーカ２２に通じる開口ＯＰ１は、筐体Ｃの縦方向他方の表面に設けられる。ディスプレイ３０は、モニタ画面が筐体Ｃの表面側から見えるように取り付けられる。また、ディスプレイ３０にはタッチパネル３８が設けられる。カメラモジュールに通じる開口ＯＰ３は、筐体Ｃの裏面左上に設けられる。そして、キー入力装置２６が備える、通話キー２６ａ、終話キー２６ｂおよびメニューキー２６ｃは、筐体Ｃの表面に設けられる。
【００７０】
たとえば、使用者は、ディスプレイ３０に表示されたダイヤルキーに対して、タッチ操作を行うことで電話番号を入力し、通話キー２６ａによって音声発信操作を行う。そして、使用者は、通話が終了すると、終話キー２６ｂによって通話終了操作を行う。また、使用者は、メニューキー２６ｃを操作することで、ディスプレイ３０にメニュー画面を表示する。さらに、使用者は、ディスプレイ３０に表示されたソフトキーおよびメニューに対してタッチ操作を行うことで、メニューの選択および確定を行う。そして、使用者は、終話キー２６ｂを長押しすることで携帯電話機１０の電源をオン／オフする。また、使用者は、カメラ機能を実行しているときは、開口ＯＰ３を被写体に向けて、撮影操作を行うことができる。
【００７１】
なお、アンテナ１２、無線通信回路１４、Ａ／Ｄ変換機１６、Ｄ／Ａ変換機２０、プロセッサ２４、表示ドライバ２８、フラッシュメモリ３２、ＲＡＭ３４、タッチパネル制御回路３６、カメラモジュール、Ｉ／Ｆ４６およびメモリカード４８は筐体Ｃに内蔵されているため、図２（Ａ），（Ｂ）では図示されない。
【００７２】
図３は、フォルダテーブルの構成の一例を示す図解図である。フォルダテーブルには、フラッシュメモリ３２およびメモリカード４８に設けられているフォルダの情報が記録されている。そのため、「フォルダ名」、「保存枚数」、「更新日時」、「属性」および「サムネイル画像」などの列を含む。
【００７３】
「フォルダ名」の列には、各フォルダのフォルダ名が記録される。「保存枚数」の列には、フォルダ名に対応して、フォルダに保存されている画像ファイルの数（枚数）が記録される。「更新日時」の列には、フォルダ名に対応して、最後に画像ファイルが保存された日時が記録される。「属性」の列には、フォルダ名に対応して、フォルダが設定されている記憶部、つまりフラッシュメモリ３２（内部）またはメモリカード４８（外部）を示す文字列が記録される。そして、「サムネイル画像」の列には、フォルダ名に対応して、最後に保存された画像ファイルが記録されているメモリ領域を示す、メモリアドレスが記録されている。このメモリアドレスは、後述するサムネイル画像を作成する際に読み出される。また、サムネイル画像は、読み出された画像ファイルに基づいて作成され、図４などに示すように、フォルダの内容を表すときに表示される。
【００７４】
たとえば、「フォルダ名」の列に「１００」が記録されている行を参照して、「１００」フォルダは、フラッシュメモリ（内部）３２に設けられており、１７３枚の画像ファイルが保存されている。また、「１００」フォルダに対して画像ファイルが最後に保存された日時は「２０ＸＸ年９月１日、９時２５分（２０ＸＸ／０９／０１,９：２５）」であり、メモリアドレス「０Ｘ００００００ＡＡ」で示されるメモリ領域に、最後に保存された画像ファイルが記録されている。
【００７５】
図４は、ディスプレイ３０に表示されるスルー画像およびポップアップＰの一例を示す図解図である。図４を参照して、ディスプレイ３０の表示範囲は、状態表示領域６０および機能表示領域６２を含む。状態表示領域６０には、アンテナ１２による電波受信状態を示すアイコン（ピクト）、二次電池の残電池容量を示すアイコンおよび日時が表示される。
【００７６】
また、機能表示領域６２には、スルー画像が表示されると共に、ポップアップＰが表示される。ポップアップＰには、保存フォルダを示すフォルダアイコンＦ１、その保存フォルダに対して最後に保存された画像ファイルを示すサムネイル画像Ｔ１およびその保存フォルダの保存枚数を示す文字列が含まれると共に、変更キー６４が含まれる。なお、変更キー６４については後述するため、ここでの詳細な説明は省略する。
【００７７】
ポップアップＰに表示される内容は、図２に示すフォルダテーブルに基づいて表示される。たとえば、「１００」フォルダが保存フォルダして設定されている場合、図２に示すフォルダテーブルにおいて、フォルダ名が「１００」と記録されている行から、「１００」のフォルダ名と、「１７３枚」の保存枚数と、「０Ｘ００００００ＡＡ」のメモリアドレスとが読み出される。その結果、ポップアップＰには、「１００」と書かれたフォルダアイコンＦ１が表示され、保存枚数として「１７３枚」が表示され、上記メモリアドレスに基づいて読み出された画像ファイルに対応する、サムネイル画像Ｔ１が表示される。
【００７８】
図５を参照して、ポップアップＰが表示されてから所定時間（たとえば、５秒）が経過すると、ポップアップＰの表示は消え、通常画面に遷移する。通常画面に遷移すると、機能表示領域６２の右側には、保存フォルダを示す保存フォルダアイコンＦ１および撮影キー６６が表示される。つまり、スルー画像と共に保存フォルダアイコンＦが表示されるため、撮影操作を行う際の使用者の利便性が向上する。
【００７９】
なお、保存フォルダアイコンＦは、ポップアップＰに含まれていたフォルダアイコンＦと同じフォルダ（ここでは、「１００」フォルダ）と対応する。
【００８０】
たとえば、機能表示領域６２内でマルチタッチされた後に、２本の指が離れるようにスライドされると、スルー画像がズームアップされる。一方、２本の指が近づくようにスライドされると、スルー画像がズームダウンされる。
【００８１】
そして、撮影キー６６に対してタッチ操作がされると、本撮影処理が実行され、撮影画像に基づいて作成された画像ファイルが、保存フォルダアイコンＦ１に対応する「１００」フォルダに保存される。
【００８２】
ここで、本実施例では、スルー画像が表示されている状態のときに、ポップアップＰに含まれる変更キー６４または保存フォルダアイコンＦ１に対してタッチ操作が行われると、選択画面に遷移する。選択画面では、記憶部に設定されているフォルダに対応するフォルダアイコンが、機能表示領域６２に一覧表示される。そして、使用者は、一覧表示されたフォルダアイコンＦに対してタッチ操作を行うことで、撮影画像に基づく画像ファイルが保存されるフォルダを容易に変更することができる。
【００８３】
たとえば、図６（Ａ），（Ｂ）を参照して、変更アイコンとも呼ばれる保存フォルダアイコンＦ１に対してタッチ操作がされると、記憶部に設定されているフォルダと対応するフォルダアイコンＦ１−Ｆ３が、機能表示領域６２において選択可能に表示される。
【００８４】
フォルダアイコンＦ１−Ｆ３のそれぞれには、フォルダテーブルに基づいて、サムネイル画像Ｔ１−Ｔ３および保存枚数が関連付けて表示される。また、保存フォルダとして設定されていることを示すカーソルＣＵが、フォルダアイコンＦ１に関連付けて表示される。さらに、フォルダアイコンＦの一覧表示の右側には、表示範囲の右の外側に、表示されていないフォルダアイコンＦが存在していることを示す、右カーソルＲＣが表示される。そして、フォルダアイコンＦの一覧表示の左側には、後述する新規フォルダアイコンＦｎが表示される。
【００８５】
このように、保存フォルダアイコンＦが操作されてから、フォルダアイコンＦが一覧表示されるため、通常画面のスルー画像の視認性が向上する。たとえば、常にフォルダアイコンＦを表示するようにした場合、機能表示領域６２の表示内容が多くなり、スルー画像の視認性が低下してしまう。ところが、本実施例のように、通常画面から選択画面に遷移したときにフォルダアイコンＦを一覧表示することで、通常画面のスルー画像の視認性を向上させることができる。ただし、他の実施例では、使用者の利便性とスルー画像の視認性を両立するために、フォルダアイコンＦなどの表示サイズを縮小したうえで、機能表示領域６２の下側（または上側など）に表示するようにしてもよい。
【００８６】
なお、他の実施例では、保存フォルダアイコンＦに代えて、専用アイコン（変更アイコン）が機能表示領域６２に表示されてもよい。
【００８７】
図７（Ａ），（Ｂ）を参照して、右カーソルＲＣが表示されている状態で、左方向のスライド操作がされると、表示されていなかったフォルダアイコンＦが表示される。つまり、図７（Ａ）の状態で、左方向のスライド操作がされると、表示されていなかったフォルダアイコンＦ４が、機能表示領域６２に表示される。
【００８８】
フォルダアイコンＦ４が表示されると、フォルダアイコンＦ４に対応するサムネイル画像Ｔ４および保存枚数（２５枚）も表示される。また、機能表示領域６２内に表示可能なフォルダアイコンＦの数は３つまでであるため、左側に表示されていたフォルダアイコンＦ１と、フォルダアイコンＦ１に関連付けて表示されていたサムネイル画像Ｔ１、保存枚数およびカーソルＣＵとが表示されなくなる。そして、フォルダアイコンＦ１に代えて、表示範囲の左の外側に、フォルダアイコンＦ１が存在していることを示す、左カーソルＬＣが表示される。
【００８９】
また、フォルダアイコンＦ４はメモリカード４８に設定されているフォルダであるため、アイコンにはメモリカード４８（外部メモリ）に設定されていることを示す補助アイコンが付される。
【００９０】
なお、左カーソルＬＣが表示されている状態で右方向のスライド操作が行われると、フォルダアイコンＦの表示が図６（Ｂ）の状態に戻る。また、他の実施例では、右カーソルＲＣまたは左カーソルＬＣに対してタッチ操作がされたときに、表示範囲の外側に存在しているフォルダアイコンＦが表示されてもよい。
【００９１】
そして、任意のフォルダアイコンＦに対してタッチ操作がされると、タッチ操作によって選択（指定）されたフォルダアイコンＦに対応するフォルダが、保存アイコンとして設定される。図８（Ａ），（Ｂ）を参照して、フォルダアイコンＦ３に対してタッチ操作が行われると、フォルダアイコンＦ３に対応する「１０２」フォルダが保存フォルダとして設定される。その結果、選択画面から通常画面に遷移し、保存フォルダとして設定された「１０２」フォルダに対応する保存フォルダアイコンＦ３および撮影キー６６が、機能表示領域６２の右側に表示される。
【００９２】
このように、使用者は、スルー画像を確認しながら、任意のフォルダに対して撮影画像が保存されるように設定できる。そのため、撮影するときの操作性が向上する。特に、使用者は、スルー画像とサムネイル画像Ｔとを見ることができるため、保存フォルダとして設定するフォルダを容易に特定しやすくなる。
【００９３】
図９（Ａ），（Ｂ）を参照して、新規フォルダアイコンＦｎに対してタッチ操作が行われると、新規フォルダが作成される。つまり、フォルダテーブルに対して、新規フォルダに対応する行が追加される。そして、作成された新規フォルダが保存フォルダとして設定される。たとえば、新規フォルダアイコンＦｎにタッチ操作がされ、新規フォルダとして「１０４」フォルダが作成された場合、選択画面から通常画面に遷移すると、フォルダアイコンＦの一覧表示が消え、保存フォルダとして設定された「１０４」フォルダに対応する保存フォルダアイコンＦ５および撮影キー６６が機能表示領域６２に表示される。
【００９４】
このように、必要なフォルダが記憶部に設定されていなくても、使用者は新規フォルダを作成し、その新規フォルダに撮影画像を保存することができる。特に、サムネイル画像に基づいて保存フォルダとして設定するフォルダを見つけられなかったり、保存フォルダとして設定するフォルダの保存枚数が多すぎたりした場合、使用者は、新規フォルダを作成することができる。
【００９５】
図１０（Ａ），（Ｂ）を参照して、複数のフォルダにマルチタッチが行われると、複数のフォルダが保存フォルダとして設定される。たとえば、フォルダアイコンＦ１およびフォルダアイコンＦ３に対してマルチタッチがされると、各フォルダアイコンＦ１，Ｆ３に対応する「１００」フォルダおよび「１０２」フォルダのそれぞれが、保存フォルダとして設定される。そのため、選択画面から通常画面に戻ると、「１００」フォルダおよび「１０２」フォルダに対応する、保存フォルダアイコンＦ１，Ｆ２および撮影キー６６が、機能表示領域６２に表示される。そして、この状態で撮影キー６６が操作され、本撮影処理が実行されると、「１００」フォルダおよび「１０２」フォルダに対して、同じ撮影画像が保存される。このように、撮影前に複数の保存フォルダを設定できるため、撮影後に撮影画像を他のフォルダにコピーするような煩雑な操作を省略することができる。
【００９６】
図１１（Ａ）を参照して、カメラ機能の連写機能が有効にされると、機能表示領域６２には連写アイコンＳＩが表示される。そして、連写機能が有効にされている場合、選別機能によって選別された撮影画像が保存される第１連写フォルダ、および選別されなかった撮影画像が保存される第２連写フォルダを設定することができる。
【００９７】
なお、図１１（Ａ）−（Ｃ）では、説明のために、使用者によって新たに設定された「破棄」フォルダに対応するフォルダアイコンＦ６と、フォルダアイコンＦ６に関連するサムネイル画像Ｔ６および保存枚数とがさらに表示されている。
【００９８】
図１１（Ｂ），（Ｃ）を参照して、たとえば、フォルダアイコンＦが一覧表示されているときにフォルダアイコンＦ５にタッチ操作がされると、第１連写フォルダとして設定され、フォルダアイコンＦ５の色が変化する。つまり、色を変化させることで、フォルダアイコンＦ５が第１連写フォルダとして設定されていることが示される。続いて、フォルダアイコンＦ６にタッチ操作がされると、第２連写フォルダとして設定され、通常画面に戻る。
【００９９】
そして、図１１（Ｄ）を参照して、機能表示領域６２の右側には、第１連写フォルダとして設定された「１０４」フォルダに対応するフォルダアイコンＦ５と、第２連写フォルダとして設定された「破棄」フォルダに対応するフォルダアイコンＦ６と、撮影キー６６とが表示されると共に、左上に連写アイコンＳＩが表示される。
【０１００】
この状態で、撮影キー６６にタッチ操作がされると、所定枚数の画像が連続して撮影され、状態の良い撮影画像が第１連写フォルダとして設定されている「１０４」フォルダに保存されると共に、他の撮影画像が第２連写フォルダとして設定されている「破棄」フォルダに保存される。つまり、連写後に必要な画像を別のフォルダに移す操作を行わずに済むようになる。また、選択されなかった撮影画像は、第２連写フォルダとして設定された「破棄」フォルダを開くことで、確認することができる。ただし、「破棄」フォルダに保存された画像ファイルは、所定期間が経過した後に自動的に削除されてもよい。
【０１０１】
次に、フォルダアイコンＦが一覧表示されているときに、機能表示領域６２内でダブルタッチされると、フォルダアイコンＦの並び順が変更される。たとえば、選択画面のフォルダアイコンＦは、初期状態では、フォルダ名の順番で並べられている。この状態で、ダブルタッチがされると、図１２に示すように、保存枚数の順番となるように、フォルダアイコンＦが並び替えられる。また、図１２では、フォルダアイコンＦは保存枚数が多い順番に並べられているが、上下方向のスライドを行うことで保存枚数が少ない順番に並び替えることもできる。
【０１０２】
さらに、フォルダアイコンＦの並びは、ダブルタッチがされる毎に、更新日時の順番、属性の順番と切り替えられる。そして、属性の順番で並べられているときにダブルタッチがされると、フォルダ名の順番に戻る。
【０１０３】
このように、フォルダアイコンＦの並び順を変更することができるため、使用者は必要なフォルダアイコンを探しやすくなる。ただし、他の実施例において、携帯電話機１０が加速度センサを備えている場合、携帯電話機１０を振る操作を行うことで、フォルダアイコンＦの並びを初期状態（フォルダ名の順番）に戻すことができてもよい。
【０１０４】
なお、図示は省略したが、カメラ機能が起動したときに表示されるポップアップＰに含まれる変更キー６４が操作された場合でも、図６（Ｂ）に示すようにフォルダアイコンＦが一覧表示される。つまり、使用者は、カメラ機能を実行したときに、保存フォルダの設定を変更することもできる。
【０１０５】
また、フォルダアイコンＦが一覧表示されている状態で、アイコンや、サムネイル画像Ｔが表示されていないところでタッチアンドリリースがされると、保存フォルダの設定を変更せずに、一覧表示が消去される。
【０１０６】
図１３は、ＲＡＭ３４のメモリマップを示す図である。ＲＡＭ３４には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶される。
【０１０７】
プログラム記憶領域３０２には、携帯電話機１０を動作させるためのプログラムが記憶されている。たとえば、携帯電話機１０を動作させるためのプログラムには、フォルダ管理プログラム３１０および撮影プログラム３１２などが含まれる。
【０１０８】
フォルダ管理プログラム３１０は、保存フォルダの設定を変更するためのプログラムである。撮影プログラム３１２は、撮影操作に応じて画像を撮影し、撮影画像に基づく画像ファイルを保存するためのプログラムである。
【０１０９】
なお、図示は省略するが、携帯電話機１０を動作させるためのプログラムには、通話状態を確立するためのプログラムなどが含まれる。
【０１１０】
続いて、データ記憶領域３０４には、タッチバッファ３３０、スルー画像バッファ３３２、表示フォルダバッファ３３４、保存フォルダバッファ３３６、第１連写フォルダバッファ３３８および第２連写フォルダバッファ３４０などが設けられると共に、タッチ座標マップデータ３４２、フォルダテーブルデータ３４４およびＧＵＩデータ３４６が記憶される。また、データ記憶領域３０４には、タッチフラグ３４８、連写フラグ３５０およびポップアップカウンタ３５２も設けられる。
【０１１１】
タッチバッファ３３０には、タッチパネル制御回路３６から出力される、タッチ点、タッチ位置、リリース点の座標が一時的に記憶される。スルー画像バッファ３３２には、ＹＵＶ形式の画像データが一時的に記憶される。表示フォルダバッファ３３４には、機能表示領域６２に表示されるフォルダアイコンＦと対応するフォルダ名などが記憶される。保存フォルダバッファ３３６には、保存フォルダとして設定されているフォルダ名などが一時的に記憶される。第１連写フォルダバッファ３３８および第２連写フォルダバッファ３４０には、第１連写フォルダおよび第２連写フォルダとして設定されたフォルダ名が一時的に記憶される。
【０１１２】
タッチ座標マップデータ３４２は、タッチ操作におけるタッチ座標と、ディスプレイ３０の表示座標とを対応付けるためのデータである。つまり、タッチ座標マップデータ３４２に基づいて、タッチパネル３８に対して行われたタッチ操作の結果が、ディスプレイ３０の表示に対応付けられる。
【０１１３】
フォルダテーブルデータ３３４は、たとえば、図３に示す構成のフォルダテーブルに対応するデータである。ＧＵＩデータ３４６は、ポップアップＰや、フォルダアイコンＦなどを表示するための画像や文字列を含むデータである。
【０１１４】
タッチフラグ３４８は、タッチパネル３８に対してタッチ操作がされているか否かを判断するためのフラグである。たとえば、タッチフラグ３４８は、１ビットのレジスタで構成される。タッチフラグ３４８がオン（成立）されると、レジスタにはデータ値「１」が設定される。一方、タッチフラグ３４８がオフ（不成立）されると、レジスタにはデータ値「０」が設定される。
【０１１５】
連写フラグ３５０は、連写機能が有効にされているかを判断するためのフラグである。なお、連写フラグ３５０の構成は、タッチフラグ３４８とほぼ同じであるため、構成の詳細な説明は省略する。
【０１１６】
ポップアップカウンタ３５２は、ポップアップＰが表示されている時間を計測するためのカウンタであり、リセットされるとカウント（計測）を開始する。そのため、ポップアップカウンタ３５２は、ポップアップタイマと呼ばれることもある。
【０１１７】
なお、図示は省略するが、データ記憶領域３０４には、待機状態でディスプレイ３０表示される画像データや、文字列のデータなどが記憶されると共に、携帯電話機１０の動作に必要なカウンタおよびフラグも設けられる。
【０１１８】
プロセッサ２４は、Ａｎｄｒｏｉｄ（登録商標）およびＲＥＸなどのＬｉｎｕｘ（登録商標）ベースのＯＳや、その他のＯＳの制御下で、図１４、図１５に示すファイル管理処理および図１６に示す撮影処理などを含む、複数のタスクを並列的に処理する。
【０１１９】
図１４はファイル管理処理の一部のフロー図である。たとえば、カメラ機能を実行する操作がされると、プロセッサ２４はステップＳ１で、スルー画像を表示する。つまり、スルー画像バッファ３２２に記憶されている、ＹＵＶ形式の画像データの間引き読み出し命令を表示ドライバ２８に発行する。なお、ステップＳ１の処理を実行するプロセッサ２４は、表示処理部として機能する。
【０１２０】
続いて、ステップＳ３では、ポップアップＰを表示する。つまり、保存フォルダバッファ３３６に基づいて、フォルダテーブルデータ３４４から保存フォルダの情報を読み出し、ポップアップＰを機能表示領域６２に表示する。そして、ポップアップＰが表示されると、ポップアップタイマが初期化される。なお、ステップＳ３の処理を実行するプロセッサ２４はポップアップ表示処理部として機能する。
【０１２１】
続いて、ステップＳ５では、変更キー６４が操作されたか否かを判断する。つまり、図４に示す変更キー６４に対してタッチ操作がされたか否かを判断する。ステップＳ５で“ＹＥＳ”であれば、つまり変更キー６４にタッチ操作がされると、ステップＳ７で選択画面を表示する。つまり、フォルダテーブルデータ３４４に基づいて、表示するフォルダアイコンＦを決めて、表示フォルダバッファ３３６にフォルダ名を格納する。そして、プロセッサ２４は、表示フォルダバッファ３３６に基づいて、ファイルフォルダＦの一覧を表示すると共に、新規フォルダアイコンＦｎおよびカーソルＣＵなどを表示する。このとき、カーソルＣＵの表示位置は、保存フォルダバッファ３３６に記憶されているフォルダ名に基づいて決められる。なお、ステップＳ７の処理を実行するプロセッサ２４はアイコン表示処理部として機能する。
【０１２２】
続いて、ステップＳ９では、終了操作か否かを判断する。つまり、選択画面の表示を終了するための終了操作がされたか否かを判断する。また、具体的には、上述したように、フォルダアイコンＦなどが表示されていない位置に、タッチアンドリリースがされたかが判断される。ステップＳ９で“ＹＥＳ”であれば、たとえば上記した終了操作がされると、ステップＳ１１で通常画面を表示する。つまり、フォルダアイコンＦの一覧表示に代えて、図５に示すように変更アイコン（保存フォルダアイコンＦ）および撮影キー６６が表示される。また、ステップＳ５で“ＮＯ”である場合、つまり変更キー６４が操作されずに、ポップアップタイマによって所定時間が計測された場合も、ステップＳ１１で通常画面が表示される。なお、ステップＳ１１の処理を実行するプロセッサ２４は、変更アイコン表示処理部として機能する。
【０１２３】
続いて、ステップＳ１３では、変更操作がされたか否かを判断する。たとえば、図６に示すように保存フォルダアイコンＦ１に対してタッチ操作がされたか否かを判断する。ステップＳ１３で“ＮＯ”であれば、つまり上記した変更操作がされなければ、ステップＳ１５で終了操作か否かを判断する。つまり、カメラ機能の終了操作がされたか否かを判断する。ステップＳ１５で“ＹＥＳ”であれば、つまりカメラ機能の終了操作がされると、ファイル管理処理を終了する。
【０１２４】
また、ステップＳ１５で“ＮＯ”であれば、ステップＳ１３に戻る。また、ステップＳ１３で“ＹＥＳ”であれば、つまり変更操作がされると、ステップＳ７およびステップＳ９の処理が再び実行される。
【０１２５】
また、ステップＳ９で“ＮＯ”であれば、つまりフォルダアイコンＦが一覧表示された状態で、タッチアンドリリースがされなければ、ステップＳ１７で並び替え操作がされたかが判断される。つまり、機能表示領域６２内でダブルタッチがされたか否かを判断する。ステップＳ１７で“ＹＥＳ”であれば、つまりダブルダッチがされると、ステップＳ１９で並び替え処理を実行し、ステップＳ７に戻る。たとえば、フォルダアイコンＦがフォルダ名の順番で並んでいる場合、図１２に示す保存枚数の順番の並びとなるように、フォルダアイコンＦが並び替えらえられる。なお、ステップＳ１９の処理を実行するプロセッサ２４は並び替え部として機能する。
【０１２６】
また、ステップＳ１７で“ＮＯ”であれば、つまり上述した並び替え操作がされていなければ、ステップＳ２１で表示変更操作か否かを判断する。つまり、右カーソルＲＣまたは左カーソルＬＣが表示された状態で、左右方向のスライドがされたか否かを判断する。ステップＳ２１で“ＹＥＳ”であれば、たとえば図７（Ａ）に示すように左方向のスライドがされると、ステップＳ２３で表示フォルダを更新し、ステップＳ７に戻る。たとえば、図７（Ａ）に示すように左方向のスライドがされた場合、「１０１」，「１０２」，「１０３」フォルダのフォルダ名が表示フォルダバッファ３３４に記録される。また、ステップＳ２１で“ＮＯ”であれば、つまり上述した表示変更操作がされなければ、ステップＳ３１に進む。
【０１２７】
図１５を参照して、プロセッサ２４はステップＳ３１で、新規作成操作がされたか否かを判断する。ステップＳ３１で“ＹＥＳ”であれば、新規フォルダ作成処理を実行する。つまり、フラッシュメモリ３２のメモリ領域を確保し、新規フォルダの情報をフォルダテーブルデータ３４４に登録する。なお、ステップＳ３３の処理を実行するプロセッサ２４は作成部として機能する。
【０１２８】
続いて、ステップＳ３５では、新規フォルダを保存フォルダとして設定する。たとえば、新規フォルダとして「１０４」フォルダが作成された場合、保存フォルダバッファ３３６に「１０４」フォルダのフォルダ名が記録される。そして、ステップＳ３５の処理が終了すれば、図１４のステップＳ１１に戻る。
【０１２９】
ステップＳ３１で“ＮＯ”であれば、つまり新規作成操作がされていなければ、ステップＳ３７で選択操作か否かを判断する。つまり、一覧表示された少なくとも１つ以上のフォルダアイコンＦに対してタッチ操作がされたか否かを判断する。ステップＳ３７で“ＮＯ”であれば、たとえば選択画面が表示された状態でタッチ操作がされていなければ、図１４のステップＳ７に戻る。
【０１３０】
また、ステップＳ３７で“ＹＥＳ”であれば、つまりフォルダアイコンＦに対してタッチ操作がされると、ステップＳ３９でマルチタッチがされたか否かを判断する。たとえば、２つのフォルダアイコンＦに対してほぼ同時にタッチされたか否かが判断される。ステップＳ３９で“ＮＯ”であれば、つまり１つのフォルダアイコンに対してタッチ操作がされていれば、ステップＳ４１で連写機能が有効にされているか否かを判断する。つまり、連写フラグ３５０がオンであるか否かが判断される。ステップＳ４１で“ＮＯ”であれば、つまり連写フラグ３５０がオフであれば、ステップＳ４３で選択されたフォルダを保存フォルダとして設定し、図１４のステップＳ１１に戻る。たとえば、図８（Ａ）に示すように、フォルダアイコンＦ３に対してタッチ操作がされると、フォルダアイコンＦ３に対応する「１０２」フォルダのフォルダ名が保存フォルダバッファ３３６に記録される。
【０１３１】
また、ステップＳ４１で“ＹＥＳ”であれば、つまり連写機能が有効にされていれば、ステップＳ４５で、第１連写フォルダを設定する。たとえば、図１１（Ｂ）に示すようにフォルダアイコンＦ５に対してタッチ操作がされた場合、対応する「１０４」フォルダのフォルダ名が第１連写フォルダバッファ３３８に記録される。なお、ステップＳ４５の処理が終了すると、タッチ操作がされたフォルダアイコンＦの色が変更される。
【０１３２】
続いて、ステップＳ４７では、第２連写フォルダを設定し、図１４のステップＳ１１に戻る。まず、ステップＳ４７では、２つ目のフォルダアイコンＦに対してタッチ操作がされたかを判断する。たとえば、図１１（Ｃ）に示すように、２つ目のフォルダアイコンＦ６に対してタッチ操作がされると、対応する「破棄」フォルダのフォルダ名を、第２連写フォルダバッファ３４０に記録する。なお、ステップＳ４５，Ｓ４７の処理を実行するプロセッサ２４は連写フォルダ設定部として機能する。
【０１３３】
また、ステップＳ３９で“ＹＥＳ”であれば、たとえば２つのフォルダアイコンＦに対してマルチタッチがされると、ステップＳ４９で選択された複数のフォルダを保存フォルダとして設定し、図１４に示すステップＳ１１に戻る。たとえば、図１０（Ａ）に示すように、フォルダアイコンＦ１およびフォルダアイコンＦ３に対してマルチタッチがされると、それぞれに対応する「１００」，「１０２」フォルダのフォルダ名が保存フォルダバッファ３３６に記録される。
【０１３４】
なお、ファイル管理処理において、ステップＳ３５，Ｓ４３−４９の処理を実行するプロセッサ２４は設定部として機能する。
【０１３５】
図１６は撮影処理のフロー図である。たとえば、カメラ機能を実行する操作がされると、プロセッサ２４はステップＳ６１で、撮影操作がされたか否かを判断する。つまり撮影キー６６に対してタッチ操作がされたか否かを判断する。ステップＳ６１で“ＮＯ”であれば、ステップＳ７１に進む。一方、ステップＳ６１で“ＹＥＳ”であれば、つまり撮影キー６６に対してタッチ操作がされると、ステップＳ６３でカメラモジュールに本撮影処理の実行命令を発行する。続いて、ステップＳ６５では、ＪＰＥＧ変換処理を実行する。つまり、カメラモジュールから出力されたＹＵＶ形式の画像データが、ＪＰＥＧ形式の画像データに変換（圧縮）される。続いて、ステップＳ６７では、画像データに対してメタ情報を関連付けて、画像ファイルを作成する。続いて、ステップＳ６９では、画像ファイルを設定されている保存フォルダに保存する。つまり、保存フォルダバッファ３３６に記録されているフォルダ名に基づいて保存フォルダを特定し、作成された画像ファイルを特定した保存フォルダに保存する。なお、ステップＳ６９の処理を実行するプロセッサ２４は保存部として機能する。
【０１３６】
続いて、ステップＳ７１では、終了操作がされたか否かを判断する。つまり、フォルダ管理処理のステップＳ１５と同様、カメラ機能の終了操作がされたかが判断される。ステップＳ７１で“ＮＯ”であれば、つまりカメラ機能の終了操作がされていなければ、ステップＳ６１に戻る。一方、ステップＳ７１で“ＹＥＳ”であれば、つまりカメラ機能の終了操作がされると、撮影処理を終了する。
【０１３７】
＜第２実施例＞
第２実施例では、フォルダアイコンＦに代えて、タッチパネル３８のタッチ範囲内に設定された特定領域ＳＡを利用して、選択画面に遷移したり、保存フォルダの設定を変更したりする。以下、第２実施例について説明するが、上記のこと以外は、第１実施例と同じであるため、重複した説明は省略する。
【０１３８】
図１７を参照して、通常画面では、保存フォルダアイコンＦに代えて、青色（図面では斜線）の変更特定領域ＳＡｃが設けられる。そして、第１実施例と同様、変更特定領域ＳＡｃに対してタッチ操作がされると、選択画面に遷移する。
【０１３９】
図１８（Ａ），（Ｂ）を参照して、変更特定領域ＳＡｃに対してタッチ操作がされると、記憶部に設定されているフォルダと対応するフォルダ特定領域ＳＡｆ１，ＳＡｆ２，ＳＡｆ３が、機能表示領域６２に対応するタッチ範囲の右上角、右下角、左下角に設定される。そして、機能表示領域６２に対応するタッチ範囲の左上角には、新規フォルダ特定領域ＳＡｎが設定される。
【０１４０】
フォルダ特定領域ＳＡｆは、対応するフォルダ毎に、異なる色で彩色される。たとえば、保存フォルダと対応するフォルダ特定領域ＳＡｆ１は緑色（図面では縦線）に彩色され、他のフォルダに対応するフォルダ特定領域ＳＡｆ２，ＳＡｆ３は黄色（図面では横線）に彩色される。そして、新規フォルダ特定領域ＳＡｎは赤色（図面では網目）に彩色される。これにより、使用者は、フォルダ特定領域ＳＡｆおよび新規フォルダ特定領域ＳＡｎに対応するフォルダを容易に識別することができる。
【０１４１】
ここで、第１実施例と同様、任意のフォルダ特定領域ＳＡｆ１−ＳＡｆ３に対してタッチ操作がされると、タッチ操作がされたフォルダ特定領域ＳＡｆに対応するフォルダが、保存フォルダとして設定される。また、新規フォルダ特定領域ＳＡｎに対してタッチ操作が行われると、新規フォルダが作成され、フォルダテーブルに対して新規フォルダに対応する行が追加される。
【０１４２】
このように、第２実施例でも、使用者は、スルー画像を確認しながら、任意のフォルダに対して撮影画像が保存されるように設定できるため、撮影するときの操作性が向上する。
【０１４３】
ただし、他の実施例では、特定領域ＳＡは、タッチ範囲の角以外に設けられてもよい。また、その他の実施例では、特定領域ＳＡは認識できるように彩色されていなくてもよい。たとえば、図１８（Ｂ）に示すように、特定領域ＳＡがタッチ範囲の角などの分かりやすい位置に設定されている場合、使用者は特定領域ＳＡが見えなくても、その位置を把握することができる。そのため、特定領域ＳＡが認識できるように彩色されていなくても問題ない。
【０１４４】
第２実施例のフォルダ管理処理の具体的な説明は省略するが、ステップＳ７の処理が実行されると、フォルダ特定領域ＳＡｆおよび新規ファイル特定領域ＳＡｎが機能表示領域６２に対応するタッチ範囲に設定される。また、ステップＳ３５，Ｓ４３−Ｓ４９のいずれかの処理が実行されると、タッチ操作がされたフォルダ特定領域ＳＡｆに対応するフォルダが保存フォルダとして設定される。そのため、第２実施例では、ステップＳ７の処理を実行するプロセッサ２４は領域設定部として機能し、ステップＳ３５，Ｓ４３−Ｓ４９の処理を実行するプロセッサ２４は保存フォルダ設定部として機能する。
【０１４５】
なお、第１実施例および第２実施例は、任意に組み合わせることが可能であり、具体的な組み合わせについては容易に想像できるので、詳細な説明は省略する。
【０１４６】
また、選択画面において表示されるフォルダアイコンＦまたはフォルダ特定領域ＳＡｆの数は３つに限らず、４つ以上であってもよいし、１または２つであってもよい。
【０１４７】
また、フォルダアイコンＦまたはフォルダ特定領域ＳＡｆに対してダブルタッチがされた場合、そのフォルダに保存されている画像が表示されてもよい。
【０１４８】
また、フォルダ名は、使用者によって任意に編集することができる。また、保存フォルダアイコンＦに対して、サムネイル画像Ｔおよび保存枚数が関連付けて表示されてもよい。
【０１４９】
また、他の実施例では、ＳＸＧＡ(１２８０×１０２４画素)に対応する受光素子が配置されている、イメージセンサ４２が採用されてもよい。また、使用者は、画像データのサイズを、ＵＸＧＡまたはＳＸＧＡの他に、ＸＧＡ(１０２４×７６８画素)およびＶＧＡ (６４０×４８０画素)などに変更することができる。
【０１５０】
また、新規フォルダは、フラッシュメモリ３２ではなく、メモリカード４８に作成されてもよい。たとえば、画像データのサイズがＸＧＡ以上であれば新規フォルダがメモリカード４８に作成される。画像データのサイズがＸＧＡ未満であれば新規フォルダがフラッシュメモリ３２に作成される。
【０１５１】
また、他の実施例では、図４に示すフォルダアイコンではなく、他のデザインのアイコンが採用されてもよい。さらに、その他の実施例では、フォルダアイコンではなく、サムネイル画像を利用した画像アイコンや、スルー画像が透けて見える透明アイコンなどが採用されてもよい。
【０１５２】
また、その他の実施例では、撮影後に撮影画像をプレビュー表示し、その撮影画像を保存するか否かを使用者に入力させる場合、そのプレビュー表示を行っているときに、上述の実施例と同様、画像ファイルを保存するフォルダを変更できるようにしてもよい。
【０１５３】
また、携帯電話機１０の通信方式はＣＤＭＡ方式であるが、ＬＴＥ方式、Ｗ−ＣＤＭＡ方式、ＧＳＭ方式、ＴＤＭＡ方式、ＦＤＭＡ方式およびＰＨＳ方式などが採用されてもよい。また、ディスプレイ３０にはＬＣＤモニタが利用されるが、有機ＥＬパネルなどが採用されてもよい。さらに、携帯電話機１０の外観は、ストレート型だけに限らず、スライド型および１軸または２軸折り畳み型などであってもよい。
【０１５４】
また、本実施例で用いられた複数のプログラムは、データ配信用のサーバのＨＤＤに記憶され、ネットワークを介して携帯電話機１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯電話機にインストールされた場合、本実施例と同等の効果が得られる。
【０１５５】
さらに、本実施例は、携帯電話機１０のみに限らず、いわゆるフィーチャーフォンと呼ばれる携帯電話機や、デジタルカメラ、電子書籍端末、タブレット型ＰＣおよびＰＤＡなどに適用されてもよい。
【０１５６】
そして、本明細書中で挙げた、具体的な数値は、いずれも単なる一例であり、製品の仕様変更などに応じて適宜変更可能である。
【符号の説明】
【０１５７】
１０    …  携帯電話機
１２    …  アンテナ
１４    …  無線通信回路
２４    …  プロセッサ
２６    …  キー入力装置
３０    …  ディスプレイ
３４    …  ＲＡＭ
３６    …  タッチパネル制御回路
３８    …  タッチパネル
４０    …  カメラ制御回路
４２    …  イメージセンサ
４４    …  フォーカスレンズ
４６    …  Ｉ／Ｆ
４８    …  メモリカード
【図１】
0005848932.tif 000002
【図２】
0005848932.tif 000003
【図３】
0005848932.tif 000004
【図４】
0005848932.tif 000005
【図５】
0005848932.tif 000006
【図６】
0005848932.tif 000007
【図７】
0005848932.tif 000008
【図８】
0005848932.tif 000009
【図９】
0005848932.tif 000010
【図１０】
0005848932.tif 000011
【図１１】
0005848932.tif 000012
【図１２】
0005848932.tif 000013
【図１３】
0005848932.tif 000014
【図１４】
0005848932.tif 000015
【図１５】
0005848932.tif 000016
【図１６】
0005848932.tif 000017
【図１７】
0005848932.tif 000018
【図１８】
0005848932.tif 000019